(57)【特許請求の範囲】
【請求項１】
防水パンの排水部に設置されるトラップ化粧蓋において、
前記防水パン上に載置される周辺部と、
前記トラップ化粧蓋の裏面に設けられ、前記トラップ化粧蓋に荷重が作用していないときには先端が前記防水パンから離間し、前記トラップ化粧蓋に荷重が作用しているときには前記先端が前記防水パンに当接して前記トラップ化粧蓋の撓みを途中で抑止する中央突起と、を有することを特徴とする防水パンのトラップ化粧蓋。
【請求項２】
前記中央突起は、柱状であり、前記防水パンの排水口フランジに対向する箇所に複数設けられ、かつ、前記先端が前記周辺部よりも突出していることを特徴とする請求項１に記載の防水パンのトラップ化粧蓋。
【請求項３】
前記トラップ化粧蓋に荷重が作用していないときには前記中央突起の先端と前記防水パンにおける対向箇所との空隙が５ｍｍ以下となるように、前記中央突起が形成されていることを特徴とする請求項１又は２に記載の防水パンのトラップ化粧蓋。
【請求項４】
前記トラップ化粧蓋には、複数の第１の貫通孔が設けられ、
前記トラップ化粧蓋の裏面には、前記周辺部同士を互いに結ぶと共に前記第１の貫通孔を囲む第１の補強リブが設けられ、
前記中央突起の先端が前記第１の補強リブよりも突出していることを特徴とする請求項１乃至３のいずれか１項に記載の防水パンのトラップ化粧蓋。
【請求項５】
前記トラップ化粧蓋には、隣り合う前記第１の補強リブの間に前記第２の貫通孔が設けられていることを特徴とする請求項４に記載の防水パンのトラップ化粧蓋。
【請求項６】
前記トラップ化粧蓋の裏面には、前記第２の貫通孔を囲む前記第２の補強リブが設けられ、
前記第２の補強リブは、前記第１の補強リブよりも高さが低いことを特徴とする請求項５に記載の防水パンのトラップ化粧蓋。
【発明の詳細な説明】
【０００１】
【発明の属する技術分野】
本発明は、ユニットバス等における防水パンの排水部に設置されるトラップ化粧蓋に関するものであり、特に、荷重が作用した際のトラップ化粧蓋の撓みを、不快を感じさせない程度に軽減することのできるトラップ化粧蓋に関するものである。
【０００２】
【従来の技術】
従来から、防水パンには排水口や排水溝の上部の見栄えをよくし、段差をなくすトラップ化粧蓋が使用されている。ここで、排水口等の排水部は、防水パンの周辺部、特に隅角部に配置されることが一般的であるので、トラップ化粧蓋の上に人が乗ったりして荷重が作用することは少ない。
【０００３】
そのため、従来のトラップ化粧蓋は裏面補強リブが設けられる程度であって、人が乗った場合等、トラップ化粧蓋に荷重が作用した際に破壊しなければよしとする、という思想のものであった。
【０００４】
【発明が解決しようとする課題】
しかしながら、たとえ破壊にまで至らなくても、荷重によってトラップ化粧蓋に撓みが生じると、使用者が撓みを感じて不快な思いをする。特に、ユニットバスにおいては、近年の快適性の追求によって様々な設備が追加されたり独創的な意匠が施されるようになっており、入浴者が少しでもくつろげるように工夫されている。
【０００５】
従って、防水パンにおいても、せっかくの入浴気分がそがれることのないようトラップ化粧蓋の撓みを実感しない程度に抑制することは重要である。そのため従来のトラップ化粧蓋は、剛性を高くすることで対応していた。
【０００６】
すなわち、裏面補強リブを高くすることによって撓みを対策することも可能である。しかし、リブを高くするとトラップ化粧蓋の洗浄時において邪魔になり、清掃作業性を悪化させるので、好ましいものではない。
【０００７】
そこで本発明は、このような従来のトラップ化粧蓋を改良したものであって、清掃作業性を悪化させることなく、荷重が作用した際のトラップ化粧蓋の撓みを抑止し、使用者に撓みを実感させず、不快を感じさせることのない防水パンのトラップ化粧蓋を提供することを目的とするものである。
【０００８】
【課題を解決するための手段】
本発明は、以上の課題を解決するためになされたものであって、その要旨は、防水パンの排水部に設置されるトラップ化粧蓋において、前記防水パン上に載置される周辺部と、前記トラップ化粧蓋の裏面に設けられ、前記トラップ化粧蓋に荷重が作用していないときには先端が前記防水パンから離間し、前記トラップ化粧蓋に荷重が作用しているときには前記先端が前記防水パンに当接して前記トラップ化粧蓋の撓みを途中で抑止する中央突起と、を有することを特徴とする防水パンのトラップ化粧蓋に係るものである。
【０００９】
そして好ましくは、前記中央突起が、柱状であり、前記防水パンの排水口フランジに対向する箇所に複数設けられ、かつ、前記先端が前記周辺部よりも突出しているトラップ化粧蓋に係るものである。なお、樹脂のヒケ防止のために柱状の中央突起の内部は空洞とすることが好ましい。
【００１０】
なお、トラップ化粧蓋の周辺部を防水パン上に載置した際、前記中央突起の先端は初めから防水パンに当接するものであってもよいが、初めは当接せず、荷重が作用した際にトラップ化粧蓋の撓みを途中で抑止すべく、前記中央突起と当該防水パンにおける対向箇所との空隙が５ｍｍ以下、好ましくは３ｍｍ以下、更に好ましくは１ｍｍ以下となるように、中央突起を形成してもよい。
【００１１】
また、好ましくは前記トラップ化粧蓋には、複数の第１の貫通孔が設けられ、前記トラップ化粧蓋の裏面には、前記周辺部同士を互いに結ぶと共に前記第１の貫通孔を囲む第１の補強リブが設けられ、前記中央突起の先端が前記第１の補強リブよりも突出しているトラップ化粧蓋に係るものであって、更に、前記トラップ化粧蓋には、隣り合う前記第１の補強リブの間に前記第２の貫通孔が設けられているものである。また、前記トラップ化粧蓋の裏面には、前記第２の貫通孔を囲む前記第２の補強リブが設けられ、前記第２の補強リブは、前記第１の補強リブよりも高さが低くてもよい。
【００１２】
【発明の実施の形態】
本発明において、トラップ化粧蓋は、防水パン上に載置される周辺部と、撓みを抑止する中央突起とからなる。ここで、トラップ化粧蓋の形状は特に限定されることなく、正方形、長方形、三角形等の多角形の他、円形や楕円形、更には非対象形状であっても差し支えない。また、材質も特に限定されず、ポリエステル樹脂、アクリル樹脂等の各種樹脂、ステンレス等の各種金属を使用することができる。
【００１３】
そして、周辺部とは、防水パン上に載置されるようになされているトラップ化粧蓋の周囲の部分であって、防水パン側に凸部があれば、当該突起上で安定する部分をいう。一方、防水パン側に凸部がない場合等、トラップ化粧蓋に脚を設けたときは、当該脚が防水パン上に載置される周辺部となる。
【００１４】
また、中央突起とは、撓みを抑止するようになされているトラップ化粧蓋裏面の突起であって、上記の周辺部に対して比較的中央部側に設けられているものをいう。すなわち、円柱、円筒、角柱等の形状を有する１個又は２個以上の柱状体等である。
【００１５】
但し、中央突起は、防水パンの排水口フランジに対向する箇所に設けた複数の柱状体とすることが好ましい。すなわち、排水口フランジに合わせて複数の柱状体を円形に配置するのである。排水口フランジの部分が中央突起を支持し得る最も中央側の部分であり、撓みを効果的に抑止できるからである。そして、防水パンの排水口部分が凹部となっている場合には、柱状体の先端をトラップ化粧蓋の周辺部よりも突出させる。
【００１６】
また、柱状体からなる中央突起の内部は、空洞（例えば円筒形状）とすることが好ましい。トラップ化粧蓋の軽量化に結び付くからであり、特に、トラップ化粧蓋を樹脂で成形した場合には、柱状体部分におけるいわゆる樹脂のヒケを防止できるからである。
【００１７】
なお、中央突起は、少なくとも荷重が作用した際にトラップ化粧蓋の撓みを途中で抑止できるものであればよく、トラップ化粧蓋の周辺部を防水パン上に載置した際に、初めから防水パンに当接するもの（中央突起と当該防水パンにおける対向箇所との空隙が０ｍｍ）であっても、初めは当接せず（空隙＞０ｍｍ）、荷重が作用した際に撓みを途中で抑止するものであってもよい。
【００１８】
ここで、中央突起が、トラップ化粧蓋を防水パン上に載置した時点では防水パンに当接しないものである場合、中央突起と当該防水パンにおける対向箇所との空隙は５ｍｍ以下とすることが好ましく、３ｍｍ以下、更には１ｍｍ以下とすることが好ましい。空隙が５ｍｍであれば、荷重が作用した際に５ｍｍだけ撓むことになるが、この程度であるなら、使用上特に問題が生ずることもなく、更に１ｍｍ以下であれば、使用者が撓みとして実感することもないからである。
【００１９】
また、空隙は０．５ｍｍとすることが特に好ましい。空隙を０．５ｍｍ未満としてしまうと、トラップ化粧蓋や防水パンの寸法誤差等により、載置したトラップ化粧蓋にガタが生じる恐れがあるからであり、空隙を０．５ｍｍより大きくしないのは可能な限り撓みを少なくするためである。
【００２０】
更に好ましくは、トラップ化粧蓋に１個又は２個以上の貫通孔を設けるようにする。防水パンから流れ来る排水は、通常トラップ化粧蓋の周囲の開口部から排水口に流入するが、たとえ大量の排水が流れ込んだ場合であっても、トラップ化粧蓋の上面に排水が滞留することのないようにするためである。
【００２１】
なお、トラップ化粧蓋の強度を十分確保するため、トラップ化粧蓋の裏面に、その周辺部同士を互いに結ぶ補強リブを設けることが好ましい。この場合、貫通孔を囲んで補強リブを形成することにより、貫通孔の存在によるトラップ化粧蓋の強度低下を補うことができる。
【００２２】
また、補強リブの間にも貫通孔を設けることが好ましい。大量の排水が流れ込んだ場合、補強リブの間にあった空気が抜けるのに時間を要すると、トラップ化粧蓋が浮き上がってしまう。そこで、補強リブの間に設けた貫通孔によって空気の逃げ道を十分に確保し、浮き上がりを防止するためである。
【００２３】
【実施例】
以下、本発明の好ましい実施の形態を図面により説明する。
図１は、本発明における防水パンのトラップ化粧蓋を示す上面図、図２はその下面図、図３はその側面図である。ここで、トラップ化粧蓋は、ポリエステル樹脂で一体成形された２３８ｍｍ×１９３ｍｍの四角形のもので、図示しない防水パンの上に載置される周辺部１、撓みを抑止する中央突起２、貫通孔３，４、裏面補強リブ５，６を有している。なお、トラップ化粧蓋の肉厚は４ｍｍとなっている。
【００２４】
また、図２及び図３に示すように、周辺部１の四周には周補強リブ１Ａが設けられており、図示しない防水パンの段差上に周補強リブ１Ａが載置され、防止パンの表面とトラップ化粧蓋の表面とが一致するようになされている。なお、周突起１Ｂは、防水パンの段差の側壁に当接してトラップ化粧蓋の横ずれを防止するためのものである。
【００２５】
更に、図２に示すように、中央突起２の形状は全て円筒（外径１０ｍｍ、内径５ｍｍ）となっており、図示しない防水パンの排水口フランジに対向する箇所に８本が円形に並んで配置されている。そして、図３に示すように、中央突起２の先端（表面から２７ｍｍの位置）は周辺部１の周補強リブ１Ａの下端（表面から１４ｍｍの位置）及び裏面補強リブ５の下端（表面から１８ｍｍの位置）よりも突出しており、防水パンの凹部の底にある排水口付近にまで達するようになっている。
【００２６】
ただし、防水パンの段差上に周補強リブ１Ａを載置した時点では、中央突起２の先端は防水パンの排水口フランジに当接せず、その間には０．５ｍｍの空隙が生じるようになっている。従って、トラップ化粧蓋に荷重が作用した場合には、０．５ｍｍだけ撓んで中央突起２の先端が防水パンの排水口フランジに当接し、それ以上の撓みが抑止される。一方、０．５ｍｍの撓みでは、使用者が撓みを実感するほどではないので、特に問題は生じない。
【００２７】
また、図２に示すように、補強リブ５は幅３．５ｍｍのもので、周辺部１同士を互いに結ぶと共に、貫通孔３の部分では、貫通孔３を囲んで形成されている。なお、補強リブ５の間の貫通孔４にも、貫通孔４を囲う幅３．５ｍｍの補強リブ６が設けられているが、補強リブ６は高さ２ｍｍであり、補強リブ５（高さ１４ｍｍ）よりもはるかに低い。従って、補強リブ５の間で空気の逃げ道が確保されるようになっている。
【００２８】
【発明の効果】
本発明は、トラップ化粧蓋の撓みを途中で抑止する中央突起を設けたものであるので、荷重が作用した際のトラップ化粧蓋の撓みを、不快を感じさせない程度にまで軽減することができる。また、裏面補強リブの間に貫通孔を設ければ、トラップ化粧蓋に大量の排水が流れ込んだ場合であっても貫通孔が空気の逃げ道となり、トラップ化粧蓋の浮き上がりが防止される。
【図面の簡単な説明】
【図１】図１は、本発明における防水パンのトラップ化粧蓋を示す上面図である。
【図２】図２は、本発明における防水パンのトラップ化粧蓋を示す下面図である。
【図３】図３は、本発明における防水パンのトラップ化粧蓋を示す側面図である。
【符号の説明】
１‥周辺部
１A ‥周補強リブ
１Ｂ‥周突起
２‥中央突起
３，４‥貫通孔
５，６‥裏面補強リブ
【図１】
0004437853.tif 000002
【図２】
0004437853.tif 000003
【図３】
0004437853.tif 000004